(57)【要約】【課題】  輸送時や保管時であっても生花に常時保水用の水を供給し続けて生花の乾燥や萎れを防止し、転倒させても保水用の水が外部に漏出することがなく、横積みの状態で輸送及び保管することができる生花輸送用容器および生花輸送用容器に用いられる蓋を提供する。【解決手段】  生花の保水用の水Ｗを貯溜し、上面に開口部を設けた容器本体１０と、生花の束を容器本体１０の底面１１に対して起立状態で保持するとともに、転倒時には容器本体１０から水Ｗが漏出するのを防止する蓋２とを備え、蓋２に容器本体１０内へ延びる生花保持筒２１を設け、転倒時、水Ｗの全量が、容器本体１０と生花保持筒２１との間の空間に滞留可能とさせ、生花保持筒２１の外面適所に、生花挿入時に生花保持筒２１の姿勢が崩れるのを防止するとともに、転倒時に容器本体１０が床面Ｌと接する側に生花保持筒２１が沈下するのを防止する保持筒支持手段２３を設けた。【選択図】  図３
2006199306.tif 000002
【特許請求の範囲】
【請求項１】
上面に開口部が設けられ、生花の輸送時や保管時に生じる生花の乾燥や萎れの防止に必要な量の保水用の水を貯溜する容器本体と、
この容器本体内に入れられる生花の束を、容器本体の底面に対して起立状態で保持するとともに、転倒時には容器本体から前記水が漏出するのを防止する蓋とを備え、
前記蓋は、容器本体の開口部に対し水密状態に装着可能とされるとともに、容器本体内へ延びる生花保持筒が設けられ、転倒時、前記水の全量が、容器本体と生花保持筒との間の空間に滞留可能とされ、
前記生花保持筒は、その外面適所に、生花挿入時に生花保持筒の姿勢が崩れるのを防止するとともに、転倒時に容器本体が床面と接する側に生花保持筒が沈下するのを防止する保持筒支持手段が設けられたことを特徴とする生花輸送用容器。
【請求項２】
生花の輸送時や保管時に生じる生花の乾燥や萎れの防止に必要な量の保水用の水を貯溜する容器本体の上面に設けられた開口部の形状に対応して形成され、この容器本体内に入れられる生花の束を、容器本体の底面に対して起立状態で保持するとともに、転倒時には容器本体から前記水が漏出するのを防止する蓋であって、
前記容器本体の開口部に対し水密状態に装着可能とされるとともに、容器本体内へ延びる生花保持筒が設けられ、転倒時、前記水の全量が、容器本体と生花保持筒との間の空間に滞留可能とされ、
前記生花保持筒は、その外面適所に、生花挿入時に生花保持筒の姿勢が崩れるのを防止するとともに、転倒時に容器本体が床面と接する側に生花保持筒が沈下するのを防止する保持筒支持手段が設けられたことを特徴とする生花輸送用容器に用いられる蓋。
【請求項３】
前記生花保持筒は、その少なくとも一部が蛇腹状に形成され、周方向に伸縮可能とされたことを特徴とする請求項１または２記載の生花輸送用容器または生花輸送用容器に用いられる蓋。
【請求項４】
前記生花保持筒は、裾窄まりに形成され、蓋同士のスタックが可能とされたことを特徴とする請求項１、２または３記載の生花輸送用容器または生花輸送用容器に用いられる蓋。
【発明の詳細な説明】
【技術分野】
【０００１】
本発明は、生花輸送用容器および生花輸送用容器に用いられる蓋に関し、特に、輸送時や保管時であっても生花に常時保水用の水を供給し続け、輸送時や保管時に生じ易い生花の乾燥や萎れを防止しうるとともに、転倒させても保水用の水が外部に漏出することのない生花輸送用容器および生花輸送用容器に用いられる蓋に関する。
【背景技術】
【０００２】
生花、特に切り花を、生産地から卸売市場まで、また卸売市場から販売店まで輸送する際、大半は、偏平な段ボール箱を使用し、この箱内に切り花を横に寝かせた状態で収容しているが、輸送中、切り花には給水が全く行われないため、この方法では目的地に到着するまで切り花の鮮度を保つのは困難であった。
【０００３】
そこで、従来、容器に保水用の水を貯溜しておき、この容器に切り花を挿入して輸送する方法が考えられ、その輸送方法に適する容器が提案されている（例えば、特許文献１参照。）。
【０００４】
この容器は、上方を開口した防水性下容器の上方の開口周縁部に、底面を開口した上容器の底面の開口周縁を脱着自在に係合して細長の植物収納容器本体を形成するとともに、下容器又は上容器に給水孔を設けたものである。
【０００５】
しかしながら、上記したような容器にあっては、輸送中や保管中に転倒すると、容器内部の水が外に流出してしまい、水の補給ができない場合は、収容した切り花が乾燥したり萎れたりし、商品価値がなくなってしまうといった問題があった。また、容器から流出した水が周囲を汚損するといった問題もあった。さらに、容器本体から水が流出しないよう容器を常に起立状態で使用する必要があることから、輸送時や保管時に嵩高くならざるを得ず、輸送量や保管量に制約を受けるといった問題もあった。
【０００６】
このような問題を解決するものとして、転倒しても容器内の水が外部に流出する虞のない切り花用包装容器が提案されている（例えば特許文献２および３参照。）。
【０００７】
特許文献２に記載の容器は、カップ状の容器本体に、切花を挿通し得る凹部が設けられた蓋体が密着するように構成し、容器が転倒した場合であっても容器内部の水が外部に漏洩するのを防止したものである。
【０００８】
一方、特許文献３に記載の容器は、容器本体に貯溜する水の面より上方位置に、略中央部に切り花を挿入するための開口を形成した仕切部を設け、この仕切部によって、容器が転倒した場合でも、容器本体に貯溜した水が外部に流出、漏洩するのを防止したものである。
【０００９】
また、上記特許文献２および３に記載されたものとは別に、図４及び図５に示すように、容器本体Ａ内に下端開口部が存する内筒Ｂを一体的に形成し、容器が転倒しても内部の水が容器本体Ａの内壁面と内筒の外周面との間の空間Ｃに流れ込むようにして、容器本体Ａ内の水が外部に流出、漏洩するのを防止したものが提案されている（例えば、特許文献４参照。）。尚、図中の符号Ｄは、容器使用後に容器内の水を排出するための排出部を示し、この排出部Ｄは容器本体Ａと一体成形されており、凸部を切除することで開口される。再使用（水を注入）する場合は、栓等で閉塞される。
【００１０】
しかしながら、上記特許文献２に記載されたものにあっては、この容器が転倒した状態では、切花の茎端部が収納部で保持されているために、切花に水が供給されることがなく切花の鮮度を保つことができない。そして、容器転倒時でも切花の茎端部に水を供給しようとして、容器本体の内部に水を十分入れたとしても、転倒時には水が外部に漏れて周囲を汚損し、結局のところ切花の茎端部に水を供給することができないといった問題が生じる。
【００１１】
また、上記特許文献３に記載されたものにあっては、切り花は仕切板の開口部によってのみ支持され、仕切板には僅かな厚みしかないことから、切り花が十分に保持されず、このため輸送中などに容易に傾いてしまい、隣接する容器の切り花と接触して切り花同士が損傷し合ったりするといった問題があった。
【００１２】
その上、容器が転倒した場合の水の流出を仕切板で防止することを主眼にしたものであって、容器を転倒させたまま輸送するといった発想のものではなく、容器を常に起立状態で使用することを前提としたものであるから、前記特許文献１記載の容器の場合と同様、輸送時や保管時に嵩高くならざるを得ず、輸送量や保管量に制約を受けるといった問題もあった。
【００１３】
なお、転倒しても仕切板によって水が外部に流出しないのであるから、容器を転倒させた状態でも使用できるようにも見えるが、前述したように切り花は仕切板の開口部によってのみ支持されるため、転倒させて使用すると、開口部と接する部分に切り花自体の重みがかかり、しかも開口部には十分な厚みがないことから、該開口部と接する部分で切り花が損傷してしまい、商品価値が損なわれてしまうといった問題がある。
【００１４】
一方、前記特許文献４記載のものにあっては、上記したような特許文献３記載のものにおける問題はないが、次のような別の問題があった。
【００１５】
すなわち、内筒が容器本体と一体に設けられているため、切り花の種類が異なりその束の太さが種々ある場合に、個々に対応する内径をもった複数種類の容器を用意しておく必要があり、その分容器の製造コストが嵩むといった問題があった。
【００１６】
また、内筒は伸縮するものではないため、切り花の束の太さを内筒の内径に合うよう細かく調整する必要があり、取り扱いに不便であった。すなわち、束の太さが内筒の内径よりも大きい場合、無理に束を内筒に挿入すると切り花の茎を痛めてしまい、逆に束の太さが内筒の内径よりも小さい場合は、切り花が傾斜し易くなり、前記特許文献３記載のものの場合と同様の問題が生じる。このため、内筒に束を挿入する際に数本の切り花を間引いたり或いは足したりするなどして束の太さを細かく調整する必要があり、この調整作業が必要になる分、使い勝手が悪いものであった。
【００１７】
さらに、内筒と容器本体とが一体に成形されたものであるため、不使用時に容器同士をスタック（積み重ね）したとしても、かなり嵩張り、輸送や保管に不便であるといった問題もあった。
【００１８】
さらにまた、内筒と容器本体とが一体に成形されたものであるから、使用後、容器本体内の水を排出させるための排水口を別途形成するとともに、使用時にはこの排水口を閉塞しておくための手段が必要であり、その分取扱作業性に劣り、また製造コストも嵩むといった問題もあった。
【００１９】
また、この種の容器にあっては、起立時に生花の水揚げが良好に行われるよう水深（容器底面から水面までの距離）を極力深くする必要がある一方で、転倒時には内筒から水が容器外部に漏出しないよう水深（容器側面から水面までの距離）を浅くする必要があるうえ、輸送重量を極力減らす必要もあることから、特許文献４記載のものでは、内筒Ｂの下端開口部に対向する容器Ａの底面を面積の狭いものとして起立時の水深を稼ぐ（水の液面を上昇させる）一方、空間Ｃを大きく採ることによって転倒時における水の液面を極力低くし、転倒時の水位が内筒Ｂに達しないように図っている。このため、上記したように底面積が上部に比べて極端に狭くならざるを得ないことから、起立時にあっては、安定性に欠け、生花の背丈が高いと容易に転倒してしまい、その結果、生花を傷めてその商品価値を損なわせてしまうといった問題があった。
【００２０】
このような問題点に鑑み、本発明の出願人は、輸送時や保管時であっても生花に保水用の水を常時供給し続け、輸送時や保管時に生じ易い生花の乾燥や萎れを防止しうることは勿論のこと、起立時の安定性に富み、転倒させても保水用の水が外部に漏出することがなく、いわゆる横積みの状態で輸送及び保管することができ、輸送及び保管時の省スペース化をも達成しうるとともに、取り扱い易く製造コストの嵩まない、さらには保水用の水量が少なくて済み輸送重量の軽減をも図ることのできる生花輸送用容器を提案している（特許文献５参照）。
【特許文献１】実用新案登録第３０５５６６３号公報
【特許文献２】実開平４−１３５４７４号公報
【特許文献３】特開２００２−１５４５８９号公報
【特許文献４】特開２００３−２９２０７７号公報
【特許文献５】特開２００４−０５９０４１号号公報
【発明の開示】
【発明が解決しようとする課題】
【００２１】
上記した特許文献５記載の容器は、生花の保水用の水を貯溜する容器本体と、生花の束を容器本体の底面に対して起立状態で保持するとともに、転倒時には容器本体から水が漏出するのを防止する蓋とを備え、容器本体は、上面に開口部を設け、蓋は、容器本体の開口部に対し水密状態に装着可能とし、容器本体内へ延びる生花保持筒を設け、転倒時、水の全量が、容器本体と生花保持筒との間の空間に滞留可能となるように構成されている。そして、この容器には、生花挿入時に保持筒の姿勢が崩れるのを防止するための保持筒支持手段や、転倒時に生花保持筒が床面と接する側壁側に沈下するのを防止する保持筒沈下防止手段が容器本体の内面適所に設けられている。
【００２２】
この容器は、上記した構成を有することにより、前記した特許文献１乃至４に開示された各従来技術が有する問題点を解消するものであって、この種の容器に対して市場から求められている要求、すなわち前述したような、輸送時や保管時における保水用水の常時供給、生花の乾燥や萎れの防止、起立時の安定性確保、転倒時における保水用水の漏出防止、横積みの状態での輸送及び保管の達成、輸送及び保管時の省スペース化、優れた取扱性、低い製造コスト、保水用水量の低減化による輸送重量の軽減化等々に応えることができるものである。
【００２３】
しかしながら、市場が製品に求める要求は、通常、留まるところを知らないのが現状であり、この種の容器の分野もその例外ではなく、市場からは、上記した各要求に加えて、さらなる取扱の容易性及び製造コストの低減化が望まれている。
【００２４】
本発明は、このような事情に鑑み創案されたもので、輸送時や保管時であっても生花に常時保水用の水を供給し続け、輸送時や保管時に生じ易い生花の乾燥や萎れを防止し、転倒させても保水用の水が外部に漏出することがなく、横積みの状態で輸送及び保管することができ、輸送及び保管時の省スペース化をも達成しうるのは勿論のこと、より一層取り扱い易く、汎用の容器本体を使用することができ、製造コストの嵩まない生花輸送用容器および生花輸送用容器に用いられる蓋を提供するものである。
【課題を解決するための手段】
【００２５】
本発明は、上面に開口部が設けられ、生花の輸送時や保管時に生じる生花の乾燥や萎れの防止に必要な量の保水用の水を貯溜する容器本体と、この容器本体内に入れられる生花の束を、容器本体の底面に対して起立状態で保持するとともに、転倒時には容器本体から前記水が漏出するのを防止する蓋とを備え、前記蓋は、容器本体の開口部に対し水密状態に装着可能とされるとともに、容器本体内へ延びる生花保持筒が設けられ、転倒時、前記水の全量が、容器本体と生花保持筒との間の空間に滞留可能とされ、前記生花保持筒は、その外面適所に、生花挿入時に生花保持筒の姿勢が崩れるのを防止するとともに、転倒時に容器本体が床面と接する側に生花保持筒が沈下するのを防止する保持筒支持手段が設けられたことを特徴とする。
【００２６】
また、本発明は、生花の輸送時や保管時に生じる生花の乾燥や萎れの防止に必要な量の保水用の水を貯溜する容器本体の上面に設けられた開口部の形状に対応して形成され、この容器本体内に入れられる生花の束を、容器本体の底面に対して起立状態で保持するとともに、転倒時には容器本体から前記水が漏出するのを防止する蓋であって、容器本体の開口部に対し水密状態に装着可能とされるとともに、容器本体内へ延びる生花保持筒が設けられ、転倒時、前記水の全量が、容器本体と生花保持筒との間の空間に滞留可能とされ、前記生花保持筒は、その外面適所に、生花挿入時に生花保持筒の姿勢が崩れるのを防止するとともに、転倒時に容器本体が床面と接する側に生花保持筒が沈下するのを防止する保持筒支持手段が設けられたことを特徴とする。
【００２７】
これらの発明によれば、生花は、起立時にあっては、その下端部が水に浸ることになるため、保水が行われる。一方、転倒時にあっては、生花の下端部は水に浸らなくなるが、該水から発生する水蒸気により保水が行われる。また、転倒時は、容器本体内の水は、その全量が容器本体と生花保持筒との間の空間に滞留するとともに、蓋は容器本体の開口部に水密状態に装着されていることから、容器本体内の水が、生花保持筒や、容器本体と蓋との境界等を通じて外部に漏出することはない。
【００２８】
また、保持筒支持手段が設けられているので、起立時にあっては、生花の傾斜が完全に阻止され、また、転倒時にあっては、生花の重みで生花保持筒が撓み、その結果生花保持筒の下端縁が容器本体内の水中に水没して、水が生花保持筒を伝って外部に漏出するといったことが防止される。
【００２９】
さらに、保持筒支持手段が容器本体側ではなく、蓋側に設けられているので、容器本体の強度を確保しなくても、生花挿入時に生花保持筒の姿勢が崩れるのを防止することができるとともに、転倒時に容器本体が床面と接する側に生花保持筒が沈下するのを防止することができる。すなわち、前記特許文献５に開示された容器のように、保持筒支持手段を容器本体に設けた場合、転倒時に生花保持筒を介して受ける生花の重量に十分耐えることができるようにするためには、容器本体の肉厚を保持筒支持手段が一切ない汎用の容器本体に比べて厚くすることにより容器本体の強度を確保しておく必要があったが、保持筒支持手段を蓋側に設けることで、転倒時における生花の重量に耐えうる強度の確保は、専ら保持筒支持手段の強度を考慮することで足り、その分容器本体に求められる強度が低減される。したがって、容器本体を強度確保のために厚く形成する必要がなく、軽量化・コスト削減に寄与できる。また、容器本体の開口部に蓋を水密状態で装着することができれば、種々の容器本体に適用することができる。
【００３０】
前記生花保持筒は、その少なくとも一部が蛇腹状に形成され、周方向に伸縮可能とされていてもよい。
【００３１】
この場合は、生花の束の太さに大小が生じても伸縮範囲内で対応が可能となるほか、生花保持筒の収縮作用により生花の束がしっかりと保持され、生花の起立姿勢が安定する。
【００３２】
また、前記生花保持筒は、裾窄まりに形成され、蓋同士のスタックが可能とされていてもよい。
【００３３】
これにより、不使用時における容器の保管スペースを削減することができ、省スペース化に寄与できる。
【発明の効果】
【００３４】
本発明によれば、輸送時や保管時であっても生花に常時保水用の水を供給し続け、輸送時や保管時に生じ易い生花の乾燥や萎れを防止しうることは勿論のこと、転倒させても保水用の水が外部に漏出することがなく、いわゆる横積みの状態で輸送及び保管することができるので、輸送及び保管時の省スペース化をも達成しうる。
【００３５】
また、蓋と容器本体とから構成された生花輸送用容器、および容器本体に対応して形成された蓋であるため、生花保持筒の内径が異なる複数種類の蓋を用意しておけば、生花の束の太さが異なっても、それに左右されることなく容器本体を共通に使用することができる。さらに、容器本体の開口部に蓋を水密状態で装着することができれば、汎用の容器本体に適用することができる。したがって、取り扱い易く製造コストが嵩まないといった効果を奏する。
【発明を実施するための最良の形態】
【００３６】
以下、本発明の実施の形態について、図面を参照して説明する。
【００３７】
図１は、本発明の実施の形態１に係る生花輸送用容器１の使用状態を示す斜視図、図２は、生花輸送用容器１を示す斜視図、図３は、生花用輸送用容器１を転倒させた状態を示す断面図である。
【００３８】
この生花輸送用容器１は、生花Ｆの輸送時や保管時に生じる生花Ｆの乾燥や萎れの防止に必要な量の保水用の水Ｗ（図３参照）を貯溜する容器本体１０と、この容器本体１０内に入れられる生花Ｆの束を、容器本体１０の底面１１に対して起立状態で保持するとともに、転倒時には容器本体１０から水Ｗが漏出するのを防止する蓋２とを備えたものである。
【００３９】
容器本体１０は、その上面に開口部１２が設けられ、この開口部１２の周囲におけるフランジ部１３に蓋係合用リブ１４が周設されるとともに、全体が裾窄まりに形成されている。また、この実施の形態においては、容器本体１０は、平面視略矩形状に形成されており、４つの側壁１５と、側壁１５から段差を有してさらに窄められた形状の台座部１６とを有している。
【００４０】
なお、台座部１６を有しているので、生花Ｆの束を好適に保持するとともに、起立時、少ない水量でも、生花Ｆの水揚げが良好に行われるよう水深（容器底面から水面までの距離）を深くすることができる。その上、このように水の全体量が少ないものとなるため、転倒時においては水深（容器側面から水面までの距離）を浅くすることができ、生花Ｆの水揚げの促進、転倒時の水漏れ、輸送重量の削減の３つを同時に達成することが可能となる。
【００４１】
このようになる容器本体１０は、中の保水用の水Ｗの水位が容器本体１０外部からも判るように透明もしくは半透明の合成樹脂から成形されるのが好ましい。また、適正な量の水を補給し得るように、側壁１５の適所に水位表示部を設けておいてもよい。なお、容器本体１０の材質は、上記したような合成樹脂に限るものではなく、例えば剛性を有する紙で容器本体全体を成形し、その表面に防水性皮膜を設けたものであってもよい。その場合、中の水Ｗの水位（液面レベル）が容器本体１０外部からも判るよう、側壁１５の一部に透視窓を設けておくとよい。
【００４２】
以上説明したように、容器本体１０を全体形状が裾窄まりとなるよう成形した場合、複数個の容器本体１０同士を容易にスタックすることができ、不使用時の保管スペースを最小のものとすることができる。
【００４３】
なお、容器本体１０の構成は、蓋２を水密状態で装着し得るものであれば、この例に限るものではない。
【００４４】
また、容器本体１０において、生花保持筒２１の下端開口部が臨む底面に、生花Ｆの切断端部を保持する切断端保持部を有していてもよい。この場合、切断端保持部が生花保持筒２１と協働で生花Ｆをしっかりと保持することになるので、起立状態にあっても転倒状態にあっても生花Ｆの姿勢を常に適正に維持することができる。
【００４５】
さらに、容器本体１０は、側壁１５の少なくとも一部に、外部の床面と安定して接する平滑面を有しているとよい。すなわち、容器本体１０の横断面形状を蒲鉾型、矩形、多角形、三角形等に形成することで、転倒時、別途器具等を用いずとも容器本体が転動するのを防止することができる。
【００４６】
また、容器本体１０は、台座部１６を形成することなく、底面１１に、起立時、水の液面を上昇させる沈漬体が生花Ｆと干渉しないよう設けられていてもよい。この場合、起立時、少ない水量でも、生花Ｆの水揚げが良好に行われるよう水深（容器底面から水面までの距離）を深くすることができるとともに、このように水の全体量が少ないものとなるため、転倒時においては水深（容器側面から水面までの距離）を浅くすることができ、生花Ｆの水揚げの促進、転倒時の水漏れ、輸送重量の削減の３つを同時に達成することが可能となるばかりか、容器本体１０の底面１１を大きく採ることが可能となるので、起立時の安定性も良好なものとなる。
【００４７】
さらにまた、容器本体１０は、側壁１５に、転倒時、水の液面を下降させるべく水の流入を許容する凹部が設けられていてもよい。この場合、転倒時、水が側壁の凹部に流入するため、その凹部の体積分水の液面が下降することになり、生花保持筒２１と水面との距離が開き、転倒時、生花保持筒２１を通じて外部に水が漏れるのが防止される。
【００４８】
蓋２は、容器本体１０の開口部１２に対応して形成されたものであって、開口部１２対し水密状態に装着可能とされるとともに、容器本体１０内へ延びる生花保持筒２１が設けられたものである。この蓋２には、周囲に容器本体１０の蓋係合用リブ１４と嵌合する嵌合リブ２２が設けられている。
【００４９】
上記生花保持筒２１は、裾窄まりに形成されるとともに、その一部が蛇腹状に形成されており、周方向に伸縮可能とされている。この生花保持筒２１の長さ及び窄まり具合は、その下端が、転倒時に保水用の水の水位よりも下まわることがなく、且つ、所望量の生花Ｆの束を挿入し得てしかも該束を保持しうるよう適宜設定される。なお、生花保持筒２１は、上記したように蛇腹状に形成せず、平滑な曲面で形成してもよい。また、蛇腹状に形成する場合であっても、平滑な曲面で形成する場合であっても、生花保持筒２１を上記したように裾窄まりに形成しておくと、不使用時、複数個の蓋２同士をスタックすることができ、保管スペースを節減することが可能となる。さらに、生花保持筒２１の内径が異なる複数種類の蓋２を予め用意しておくことで、生花Ｆの束の太さに応じて適宜その太さに適合する内径をもった別の蓋２と交換して使用することができ、生花Ｆの出荷作業を容易なものにすることができる。
【００５０】
また、生花保持筒２１は、その外面適所に、生花挿入時に生花保持筒２１の姿勢が崩れるのを防止するとともに、転倒時に容器本体が床面と接する側に生花保持筒２１が沈下するのを防止する保持筒支持手段２３が設けられている。
【００５１】
保持筒支持手段２３は、生花保持筒２１の外方に膨出させてなる膨出部２４により構成されており、図示例のものでは、容器本体１０の各側壁１５に対応して計４つが設けられている。この保持筒支持手段２３は、膨出部２４の外面が容器本体１０の側壁１５の内面と接する程度の大きさとされており、これによって、生花挿入時に生花保持筒２１の姿勢が崩れるのが防止され、また、転倒時では生花保持筒２１が床面側に不測に沈下するのが防止されることとなる。また、膨出部２４の中央から下部にかけては、生花保持筒２１の下端開口部に向かって窄まるような傾斜面２５とされており、この傾斜面２５を形成しておくことで、図３に示すように、転倒時に水Ｗが生花保持筒２１内に越流するのが防止される。
【００５２】
なお、膨出部２４の形態は図示例のものに限るものではなく、容器本体１０の側壁１５と接し得て生花保持筒２１の姿勢が崩れるのを防止し得るとともに、転倒時に水Ｗが生花保持筒２１内に越流するのを防止し得るのであれば任意である。また、保持筒支持手段２３は、生花保持筒２１の外方に膨出させてなる膨出部２４で構成する以外に、例えば適宜形状の別部材を生花保持筒２１の外面適所に添設することで構成してもよい。
【００５３】
以上のようになる生花輸送用容器１は、図３に示すように、転倒時、水Ｗの全量が、容器本体１０と生花保持筒２１との間の空間に滞留可能なものであり、蓋２は容器本体１０の開口部１２に上記各リブ１４，２２によって水密状態に装着されていることから、容器本体１０内の水Ｗが、生花保持筒２１や、容器本体１０と蓋２との境界等を通じて外部に漏出することはない。また、保持筒支持手段２３を構成する膨出部２４に傾斜面２５が設けられているから、この傾斜面２５で水Ｗが堰止められ、水Ｗが生花保持筒２１内を越流して外部に漏出することはない。なお、図中の符号Ｌは、床面を示す。
【産業上の利用可能性】
【００５４】
本発明は、輸送時や保管時であっても生花に常時保水用の水を供給し続け、輸送時や保管時に生じ易い生花の乾燥や萎れを防止しうるとともに、転倒させても保水用の水が外部に漏出することのない生花輸送用容器および生花輸送用容器に用いられる蓋に適用できる。
【図面の簡単な説明】
【００５５】
【図１】本発明に係る生花輸送用容器の使用状態を示す斜視図である。
【図２】本発明に係る生花輸送用容器を示す斜視図である。
【図３】本発明に係る生花用輸送用容器を転倒させた状態を示す断面図である。
【図４】従来の生花輸送用容器の一例を示す、使用状態の斜視図である。
【図５】図４に示す従来の生花輸送用容器の断面図である。
【符号の説明】
【００５６】
１  生花輸送用容器
１０  容器本体
１１  底面
１２  開口部
１３  フランジ部
１４  蓋係合用リブ
１５  側壁
２    蓋
２１  生花保持筒
２２  嵌合リブ
２３  保持筒支持手段
Ｆ  生花
Ｗ  水
Ｌ  床面
【図１】
2006199306.tif 000003
【図２】
2006199306.tif 000004
【図３】
2006199306.tif 000005
【図４】
2006199306.tif 000006
【図５】
2006199306.tif 000007